(57)【要約】      （修正有）【課題】異なる太さの口径の筆芯に適合して使用することができるシャープペンシルを提供する。【解決手段】シャープペンシル１はペン管２、バネ３、回転キャップ４、導引管５、推進ポール６、内側ペン先７及び外側ペン先８から構成され、使用者が回転キャップ４を回転させる時、同時にバネ３が回転され、推進ポール６上の凸状ブロック６２はバネ３が動く勢いによって、引導管５の導引掘り溝５１１の中を移動し、推進ポール６の先端の筆芯９を動かし、移動させることにより、使用者は筆芯９をシャープペンシル内部にセットする時は回転キャップ４を回転させるだけで、筆芯９を選択することができる。【選択図】図１
0003120115.tif 000002
【実用新案登録請求の範囲】
【請求項１】
ペン管、バネ、回転キャップ、導引管、推進ポール、内側ペン先及び外側ペン先から構成され、
該ペン管は中空の管体で、先端に外側ペン先と螺合できるための螺子山を具え、さらにペン管と外側ペン先の中には弾性パッド片が含まれて設けられ、ペン管の先端には内側ペン先の限位溝に嵌合することができる限位凸起ブロックが設けられ、加えてペン管の先端には導引管上の嵌合ブロックと相互に固定して一体成型をなす嵌合溝が設けられ、後端は回転キャップと結合することが可能であり、
該推進管の先端には溝孔を具え、後端には凸状ブロックを具え、
該凸状ブロックは導引管内に推進管をセットする時、導引管の導引堀り溝の外に突出することができ、
該引導管は中空の竿体に係り、導引掘り溝が開設され、先端は内側ペン先の先にまで至り、並びにバネを導引管の上にカバーして設置し、
該バネの一端は内側ペン先まで至る延伸柱に係り、またペン管をバネの外部にカバーして設置し、さらにペン管の後端は回転キャップに結合し、
該回転キャップの先端にはバネのもう一端に固定することが可能な嵌合カバーが設置され、
前記内側ペン先の先端は複数のチャック体が設置されることに係り、
該チャック体の先端及び後端の外縁にはそれぞれ凸状環が設けられ、並びに先端部は収斂してペン先孔を形成し、さらに内側ペン先の中段環には滑り止め限位ブロックが設けられ、
該滑り止め限位ブロックの上方には限位溝が設置され、加えて内側ペン先の後端は嵌合環に延伸し、内側ペン先とペン管が結合する時には、
該嵌合環は筆管の固定孔の中にセットされ、限位溝は筆管先端の限位凸起ブロックに嵌入して固定することができ、
該外側ペン先は内側ペン先の外部にカバーして設置され、
該外側ペン先の内縁は防止ブロックが環状に設けられることに係り、
該防止ブロックは内側ペン先の滑り止め限位ブロックと相互してなり、内側ペン先と外側ペン先の間には内側ペン先上の凸状環と外側ペン先の斜面と互いに接触するのみであり、内側ペン先が外側ペン先の斜面に沿って下に押される時、内側ペン先の先端のチャック体は内側に収縮され、大きさの異なる筆芯を定位させることができ、筆芯の一端が推進ポール先端の溝孔の中に至ると同時にもう一方の端は内側ペン先の先端のチャック体の収縮を受けて筆芯を挟むことができ、それにより筆芯の両端を固定し、多様な効能を具えた筆となり、その中の外側ペン先の一端には螺子歯が含まれて設置され、筆管と互いに結合できることを特徴とする様々な口径の筆芯に適合することができるシャープペンシル。
【請求項２】
前記推進ポールの先端は二段式方式の構造を形成することができ、前が大きく、後ろが小さい斜面のカバー管が設けられ、
該カバー管は弾性を備えた材質によって製造され、その口は斜め状で筆芯の先端を止めることができ、限位の効果を増加させ、さらに二段式の推進ポールには中空の竿体が含まれ、その上には固定嵌合ブロックが設けられ、後端には溝孔が設けられ、溝孔内に導竿をセットした後に嵌合ブロックを露出し、外部のバネと嵌合することが可能であり、
該溝孔の長さは嵌合ブロックの長さに合わせられ、導竿をバネによって導引し、カバー管の前に突出させることができ、短くなった筆芯を完全に内側ペン先内に押し出すことができ、充分に利用することができるため、無駄にならないことを特徴とする請求項１記載の様々な口径の筆芯に適合することができるシャープペンシル。
【請求項３】
前記溝孔は階段状に設置することができ、細筆芯、或いは太い筆芯が嵌入される時に適切な位置に分別することができ、さらに溝孔は前が大きく、後ろが小さい斜面状に設置することができ、細筆芯、或いは太い筆芯が嵌入される時に斜面に於いて適切な位置に分別することができることを特徴とする請求項１記載の様々な口径の筆芯に適合することができるシャープペンシル。
【考案の詳細な説明】
【技術分野】
【０００１】
本考案は様々な筆芯の口径に適合するシャープペンシルに係るものであり、特に異なる太さの口径の筆の芯に適合して使用することができるシャープペンシルを提供する。
【背景技術】
【０００２】
公知のシャープペンシルは通常、使用者の習慣とそれぞれの用途別に異なる筆芯の太さに適合するシャープペンシルを設計する。使用者は用途別によって自分に適合するシャープペンシルを選択をしなければならないため、複数の用途別、規格別のシャープペンシルを準備しなければならないことが常であり、そのため、複数の用途別のシャープペンシルを用意するために費用がかかる、さらには使用者が外出する時に複数の用途別のシャープペンシルを携帯しなければならない等といったような不便をもたらす。  
【特許文献１】実開平７−２６１７７号公報
【考案の開示】
【考案が解決しようとする課題】
【０００３】
公知の構造には以下のような欠点があった。
すなわち、モジュール構造が複雑であるため、書くという効能を具えていても、使用の際は一種類の規格の筆芯に限定され、また壊れた時の修理が容易ではない。また筆芯を装着する時に順序が複雑なモジュール部分を取り外す必要があり、装着上のおいて不便を生じ、さらには製造のコストが高く、使用寿命が短い等の構造上の問題がある。
【課題を解決するための手段】
【０００４】
上記課題を解決するために、本考案は、下記の特徴を有する様々な口径の筆芯に適合することができるシャープペンシルを提供する。
１．請求項１に記載の様々な口径の筆芯に適合することができるシャープペンシルは、
ペン管、バネ、回転キャップ、導引管、推進ポール、内側ペン先及び外側ペン先から構成され、該ペン管は中空の管体で、先端に外側ペン先と螺合できるための螺子山を具え、さらにペン管と外側ペン先の中には弾性パッド片が含まれて設けられ、ペン管の先端には内側ペン先の限位溝に嵌合することができる限位凸起ブロックが設けられ、加えてペン管の先端には導引管上の嵌合ブロックと相互に固定して一体成型をなす嵌合溝が設けられ、後端は回転キャップと結合することが可能であり、該推進管の先端には溝孔を具え、後端には凸状ブロックを具え、該凸状ブロックは導引管内に推進管をセットする時、導引管の導引堀り溝の外に突出することができ、該引導管は中空の竿体に係り、導引掘り溝が開設され、先端は内側ペン先の先にまで至り、並びにバネを導引管の上にカバーして設置し、
該バネの一端は内側ペン先まで至る延伸柱に係り、またペン管をバネの外部にカバーして設置し、さらにペン管の後端は回転キャップに結合し、該回転キャップの先端にはバネのもう一端に固定することが可能な嵌合カバーが設置され、前記内側ペン先の先端は複数のチャック体が設置されることに係り、該チャック体の先端及び後端の外縁にはそれぞれ凸状環が設けられ、並びに先端部は収斂してペン先孔を形成し、さらに内側ペン先の中段環には滑り止め限位ブロックが設けられ、該滑り止め限位ブロックの上方には限位溝が設置され、加えて内側ペン先の後端は嵌合環に延伸し、内側ペン先とペン管が結合する時には、該嵌合環は筆管の固定孔の中にセットされ、限位溝は筆管先端の限位凸起ブロックに嵌入して固定することができ、該外側ペン先は内側ペン先の外部にカバーして設置され、該外側ペン先の内縁は防止ブロックが環状に設けられることに係り、該防止ブロックは内側ペン先の滑り止め限位ブロックと相互してなり、内側ペン先と外側ペン先の間には内側ペン先上の凸状環と外側ペン先の斜面と互いに接触するのみであり、内側ペン先が外側ペン先の斜面に沿って下に押される時、内側ペン先の先端のチャック体は内側に収縮され、大きさの異なる筆芯を定位させることができ、筆芯の一端が推進ポール先端の溝孔の中に至ると同時にもう一方の端は内側ペン先の先端のチャック体の収縮を受けて筆芯を挟むことができ、それにより筆芯の両端を固定し、多様な効能を具えた筆となり、その中の外側ペン先の一端には螺子歯が含まれて設置され、筆管と互いに結合できることを特徴とする。
２．請求項２に記載の様々な口径の筆芯に適合することができるシャープペンシルは、請求項１の場合において、前記推進ポールの先端は二段式方式の構造を形成することができ、前が大きく、後ろが小さい斜面のカバー管が設けられ、該カバー管は弾性を備えた材質によって製造され、その口は斜め状で筆芯の先端を止めることができ、限位の効果を増加させ、さらに二段式の推進ポールには中空の竿体が含まれ、その上には固定嵌合ブロックが設けられ、後端には溝孔が設けられ、溝孔内に導竿をセットした後に嵌合ブロックを露出し、外部のバネと嵌合することが可能であり、該溝孔の長さは嵌合ブロックの長さに合わせられ、導竿をバネによって導引し、カバー管の前に突出させることができ、短くなった筆芯を完全に内側ペン先内に押し出すことができ、充分に利用することができるため、無駄にならないことを特徴とする
３．請求項３に記載の様々な口径の筆芯に適合することができるシャープペンシルは、請求項１の場合において、前記溝孔は階段状に設置することができ、細筆芯、或いは太い筆芯が嵌入される時に適切な位置に分別することができ、さらに溝孔は前が大きく、後ろが小さい斜面状に設置することができ、細筆芯、或いは太い筆芯が嵌入される時に斜面に於いて適切な位置に分別することができることを特徴とする。
【考案の効果】
【０００５】
使用者は回転キャップを回転させることで、筆芯を選択し、内側ペン先の先端のペン先孔から装着する、或いは使用時に回転キャップを回転させて筆芯を内側ペン先の先端のペン先孔から出して使用することができる。
【考案を実施するための最良の形態】
【０００６】
図１、２、３に示されるように、本考案の異なる太さの規格の筆芯の使用に対応することできるシャープペンシルの分解説明図、立体説明図、分解切断面説明図からも分かるように、本考案のシャープペンシル１はペン管２、バネ３、回転キャップ４、導引管５、推進ポール６、内側ペン先７及び外側ペン先８から構成される。
該推進管６の先端には異なる口径の筆芯を収容することができる溝孔６１が具えてなり、後端には凸状ブロック６２が具えられてなる。
該凸状ブロック６２は推進管６が導引管５内にセットされる時、導引管５の導引堀り溝５１１の外に突出することができる。
該引導管５は延伸柱５１及び接続部品５２によって組み合わさってなり、
該延伸柱５１上には導引堀り溝５１１が設置され、並びに延伸柱５１と接続部品５２の接続箇所には二つの嵌合ブロック５２１が設置されてなり、
該嵌合ブロック５２１はペン管２の前の縁にある嵌合溝２１５内に嵌入するために用いられることができ、
前記接続部品５２の先端には対応して二つの限位凸起ブロック５２２が設置されてなり、
該限位凸起ブロック５２２は内側ペン先７上の限位溝７３１において嵌入することができ、並びにバネ３を導引管５の延伸柱５１上にカバーして設置してなることができる。
該バネ３はの一端は延伸柱５１の先端の凸起部５１２までに至り、さらにペン管２をバネ３の外部にカバーして設置し、並びにペン管２の先端の嵌合溝２１５と導引管５上の嵌合ブロック５２１を相互に固定して一体成型してなり、並びにペン管２の後端には回転キャップ４が結合されてなる。
該回転キャップ４の先端にはバネ３のもう一方の端に固定することが出来る嵌合片４１が設置されてなり、
前記内側ペン先７の先端には三つのチャック体７１が設置してなる。
【０００７】
図４に示されるように、チャック体７１は弾性材質を利用して製造されてなり、その先端及び後端の外縁にそれぞれ凸状環７１１、７１２が形成されてなり、
該後端の凸状環７１２の側面には凹孔７１３を設置することができ、それによってチャック体７１の弾性を増加する。さらに、先端部にはペン先孔７２が形成されてなり、それぞれのチャック体７１の内縁は全てアーチ形の設計を採取してなることによって筆芯９に合うようにする。
前記内側ペン先７の先端のチャック体７１は二つ、或いはもっと多く設置することが可能であり、形成されたペン先孔７２に相対して小さくなる。
さらに、内側ペン先７の中段リンクには上方に二つの限位溝７３１が設けられた滑り止め限位ブロック７３が設置されてなり、その後端には嵌合環７４まで延伸してなり、
該嵌合環７４は内側ペン先７と導引管５が結合する時に接続部品５２の固定孔５３３の中にセットされてなり、二つの限位溝７３１は接続部品５２の先端の二つの限位凸状ブロック５２２に嵌入して固定されてなる。
【０００８】
図５に示されるように、外側ペン先８は内側ペン先７の外部にカバーして設置されことに係る。
該外側ペン先８の内縁には防止ブロック８１がリンク状に設置（環設）されてなり、
該防止ブロック８１は内側ペン先７の滑り止め限位ブロック７３まで互いに届くこと（相抵持）によって、内側ペン先７が無限に押し出されることが無いようにする。
該内側ペン先７と外側ペン先８に間には内側ペン先７上の二つの凸状環７１１、７１２と外側ペン先８の斜面８２が相互に接触することによって、作動時の摩擦力を下げる。
該内側ペン先７が外側ペン先８の斜面８２に沿って下に押される時、内側ペン先７のセンタのチャック体７１は内縮される。
該筆芯９の一端は推進ポール６の先端の溝孔６１の中にまで至り、同時にもう一端は内側ペン先７先端のチャック体７１の内縮によって挟まれてなることによって筆芯９の両端は固定され、使用者が書くときの便利性をもたらす。
【０００９】
図７に示されるように、本考案に筆芯９をセットした推進ポール６の階段状溝孔内の実施説明図からも分かるように、
該推進ポール６の先端の溝孔６１は階段状に設置されることが可能であり、細い筆芯９ａが嵌入して至る時、底部が狭い階段６１３の空間の中に至ることができ、さらに太い筆芯９に変えるときには、相応して広い階段６１３となる。
そのため、異なる口径の筆芯９に適合し、書く時に安定した状況を維持することができる。
【００１０】
図８に示されるように、推進ポール６の先端の溝孔６１を斜状に変えた時の溝孔内の実施説明図からも分かるように、
該推進ポール６の先端の溝孔６１は尖った斜め状（尖斜状）に設置することができ、斜面の効果を利用して異なる口径の頂を安定させ効果を生み出す。
【００１１】
運用する上で、図１の本考案の多様な口径の筆芯に対応するシャープペンシルの内部構造分解説明図を見ても分かるように、
使用者が回転キャップ４を回転させる時、同時にバネ３が回転され、推進ポール６上の凸状ブロック６２はバネ３が動く勢いによって、引導管５の導引掘り溝５１１の中を移動し、推進ポール６の先端の筆芯９を動かし、移動させる。
使用者は筆芯９をシャープペンシル内部にセットする時は回転キャップ４を回転させるだけで、筆芯９を選択することができる。
使用者は使用時に筆芯９をペン先穴７２からセットし、回転キャップ４を片側に向かって回転させるだけで、筆芯９をペン先穴７２から突出させて使用する。
【００１２】
図９に示されるように、本考案はまた、推進ポール６上に二段式方式構造を形成することができ、推進ポール６先端には弾性を具えた材質によって製造されてなる喇叭口状のカバー管６０３設け、その喇叭状の斜めの口は筆芯９の先端を止めることができ、限位の効果を増加させる。推進ポール６自体は二段式となり、その中には推進ポール６本体を含めてなり、さらには中空の竿体となる。
その上には固定嵌合ブロック６０２が設けられてなり、後端には溝穴６０５が設けられてなり、溝穴６０５内に凸状ブロック６０４をセットした後に嵌合ブロック６０４１を露出させ、外部のばね嵌合を提供することができる。
該溝穴６０５の長さは嵌合ブロック６０４１の長さに合わせられ（略長）、主要な目的としては、筆芯９が使われて小さくなった時に導竿がバネ３をカバー管６０３の前に導引してなることで、短くなった筆芯９を内側ペン先７内の前方に押し出し、充分に利用することができ、無駄にならないようにすることができる。
【００１３】
図１０に示されるように、本考案を運用する時のもう一つの好ましい実施例からも分かるように、本考案のシャープペンシル１０はペン管２９、バネ３、回転キャップ４３、導引管５３、二段式推進ポール６０、内側ペン先７及び外側ペン先８によって組み合わさることに係り、
該推進管６０の先端には喇叭状のカバー管６０３が具えてなり、
該カバー管６０３には異なる口径の筆芯９を収容することができ、
また、推進管６０の後端には凸状ブロック６０４が具えてなり、推進管６０が導引管５３内にセットされる時、
該凸状ブロック６０４は導引管５３の導引堀り溝５３０の外に突出させることができる。
該引導管５３は中空の竿体に係ってなり、引導掘り溝５３０が開設されてなり、その先端は内側ペン先７の止め、並びにバネ３を導引管５３の上にカバーして設けられ、
該バネ３の一端は延伸柱５１に係って内側ペン先７の先端に至り、さらにペン管２９はバネ３の外部にカバーして設けられる。ペン管２９の先端は螺子歯２９１を具えた管体となり、管体の先端には限位凸起ブロック２９３が設けられてなり、それは主にペン管２９の回転と外側ペン先８と結合する前に先端の限位凸起ブロック２９３を内側ペン先７の限位溝７３１に嵌入する事ができ、相互に固定して一体成型してなり、さらには外側ペン先８に回転して入る。
回転移動に於ける内側ペン先７の固定の不一致を利用することで、その限位筆芯９の効果を増加する。
該外側ペン先８内には螺子歯８３が設けられ、ペン管２９の先端の螺子歯２９１と結合するために用いられてなる。
該ペン管２９の後端には先端に嵌合カバー４３２が設置されてなる回転キャップ４が結合されてなり、バネ３のもう一方の端に固定することができる。
【００１４】
図１０に示されるように、内側ペン先７の先端には三片のチャック体７１が設置されてなり、
該チャック体７１は弾性材質を利用して製造され、その先端及び後端の外縁はそれぞれ凸状環７１１、７１２が形成されてなり、
該後端の凸状環７１２の側面には凹孔７１３を設置し、チャック体７１の弾性を増加することができ、並びに先端部にはペン先孔７２を形成し、チャック体７１の内縁は全てアーチ型の設計することで筆芯９に合わせてることができ、
該内側ペン先７の先端のチャック体７１は二片、或いはもっと多く設置することが可能であり、形成されたペン先孔７２に相対して小さくなり、
該内側ペン先７の中段の環には上方に二つの限位溝７３１が設置されてなる滑り止め限位ブロック７３が設けられてなり、その後端は延伸されてなる嵌合環７４があり、内側ペン先７と導引管５が結合される時、
該嵌合環７４はペン管２９内の中の固定された凹溝２９４の中にセットして嵌合固定してなり、さらに二つの限位溝７３１はペン管２９先端の二つの限位凸起ブロック２９３に嵌合固定してなることができ、
該外側ペン先８は内側ペン先７の外部にカバーして設置することができる。
【００１５】
本考案では好ましい実施例の具体的な説明を上述の通り開示したが、これらは決して本考案に限定するものでなく、本考案の精神と領域を脱しない範囲での各種の変動や潤色を加えたものは本考案の実用新案請求の範囲に含まれる。
【図面の簡単な説明】
【００１６】
【図１】本考案の様々な口径の筆芯に適合することが可能なシャープペンシルの分解説明図である。
【図２】本考案の様々な口径の筆芯に適合することが可能なシャープペンシル立体説明図である。
【図３】本考案の様々な口径の筆芯に適合することが可能なシャープペンシル分解切断説明図である。
【図４】本考案の様々な口径の筆芯に適合することが可能なシャープペンシルの内側ペン先の説明図である。
【図５】本考案の様々な口径の筆芯に適合することが可能なシャープペンシルの内側ペン先の切断説明図である。
【図６】本考案の内側ペン先の結合後の説明図である。
【図７】細筆芯を本考案の推進ポールの階段状溝孔内にセットする時の実施説明図である。
【図８】細筆芯を本考案の推進ポールの斜め状溝孔内にセットする時の実施説明図である。
【図９】様々な口径の筆芯に適合することが可能なシャープペンシルの内部分解図である。
【図１０】本考案のもう一つの好ましい実施例の分解説明図である。
【符号の説明】
【００１７】
１  シャープペンシル
２  ペン管
２１５  嵌合溝
３  バネ
４  回転キャップ
４１  嵌合片
５  導引管
５１  延伸柱
５１１  導引堀り溝
５１２  凸起部
５２  接続部品
５２１  嵌合ブロック
５２２  限位凸起ブロック
５２３  固定孔
６  推進ポール
６１  溝孔
６２  凸状ブロック
７  内側ペン先
７１  チャック体
７１１  凸状環
７１２  凸状環
７１３  凹孔
７２  ペン先孔
７３  滑り止め限位ブロック
７３１  限位溝
７４  嵌合環
８  外側ペン先
８１  防止ブロック
８２  斜面
９  筆芯
９ａ  細筆芯
６０３  カバー管
６０  推進ポール
６０１  中空竿体
６０２  固定嵌合ブロック
６０４  導竿
６０５  溝孔
６０４１  嵌合ブロック
１０  シャープペンシル
２９  ペン管
２９１  螺子歯
２９３  限位凸起ブロック
２９４  固定凹溝
４２  回転キャップ
４３２  嵌合カバー
５３  導引管
５３０  導引堀り溝
６０  二段式推進ポール
６０３  喇叭状カバー管
６０４  凸状ブロック
７３１  限位溝
８３  螺子歯
【図１】
0003120115.tif 000003
【図２】
0003120115.tif 000004
【図３】
0003120115.tif 000005
【図４】
0003120115.tif 000006
【図５】
0003120115.tif 000007
【図６】
0003120115.tif 000008
【図７】
0003120115.tif 000009
【図８】
0003120115.tif 000010
【図９】
0003120115.tif 000011
【図１０】
0003120115.tif 000012